(57)【要約】【課題】雄部材と雌部材との嵌合をワンタッチ操作で行うことができるうえ、嵌合の解除も容易とする止め具を提供する。【解決手段】  雄部材１をベース本体１０の中央に軸棒部１１を鉛直に突設して、該軸棒部１１に雄ネジ部１２を形成してなり、雌部材２は前記軸棒部１１を嵌合する筒状本体２０の内面に内鍔部２１を張設して、該内鍔部２１の中央に前記軸棒部１１の雄ネジ部１２が螺合する雌ネジ部２２を形成して、また、該内鍔部２１は雌ネジ部２２を中心に筒状本体２０の内面に向け複数に分割した内鍔片２１ａより構成し、かつ該内鍔部２１を雌ネジ部２２が筒状本体２０の前記軸棒部１１が嵌合する方向に位置するように傾斜させた円錐面状とする。【選択図】図１
2014152887.tif 000002
【特許請求の範囲】
【請求項１】
雄部材と雌部材とを嵌合自在として、該雄部材と雌部材との間にシート類を挟持する止め具であって、
前記雄部材はベース本体の中央に軸棒部を鉛直に突設して、該軸棒部に雄ネジ部を形成してなり、
前記雌部材は前記軸棒部を挿入する筒状本体の内面に内鍔部を張設して、該内鍔部の中央に前記軸棒部の雄ネジ部が螺合する雌ネジ部を形成して、また、該内鍔部は雌ネジ部を中心に筒状本体の内面に向け複数に分割した内鍔片より構成し、かつ該内鍔部を雌ネジ部が筒状本体の前記軸棒部が挿入する方向に位置するように傾斜させた円錐面状としたことを特徴とする止め具。
【請求項２】
前記雄部材の軸棒部の先端を先尖り部に形成した請求項１に記載の止め具。
【請求項３】
前記雄部材に被取付部材への固定部を備えたものとし、また、前記雌部材は前記雄部材に対して回動自在とした請求項１又は２に記載の止め具。
【請求項４】
前記雌部材の筒状本体の内面に張設した内鍔部を構成する各内鍔片の前記雄部材のベース本体に臨む面にストッパ突起を設けた請求項３に記載の止め具。
【請求項５】
前記雌部材に被取付部材への固定部を備えたものとし、前記雄部材は前記雌部材に対して回動自在とした請求項１又は２に記載の止め具。
【請求項６】
前記雌部材の筒状本体の内面に張設した内鍔部を均等３分割にした内鍔片とした請求項１から５の何れか１項に記載の止め具。
【発明の詳細な説明】
【技術分野】
【０００１】
本発明は、雄部材と雌部材を嵌合自在とした止め具に関するものである。詳しくは、該雄部材と雌部材の一方を壁面、枠材等の被取付部材に固定して該雄部材と雌部材との間に遮光用シート、防水シート、荷物カバー等のシート類を挟み保持するのに使用する止め具に関するものである。
【背景技術】
【０００２】
前記した止め具としては、従来より図１３に示すような雄部材１１０と雌部材１２０からなるものが知られている。この雄部材１１０はベース１１１の裏面側を壁面、枠材等への取付部１１１ａとして表面１１１ｂの中央に立設したピン状突起１１２の中央部分に上下に亘りラチエット歯１１３を形成したものである。
【０００３】
また、雌部材１２０は、雌部材本体１２１に前記雄部材１１０のピン状突起１１２を嵌合できる嵌合孔１２２を設けて、該嵌合孔１２２の側面に前記ラチエット歯１１３に噛合するラチエット爪１２３をレバー１２４により解除可能に設けたものである（特許文献１参照）。
【０００４】
これは、雄部材１１０をベース１１１の裏面側の取付部１１１ａをもって壁面、枠材等へ取り受けてピン状突起１１２に遮蔽用シート等のシート類を刺通させて、雌部材１２０の嵌合孔１２２をピン状突起１１２に嵌合させたうえ前記ラチエット歯１１３とラチエット爪１２３を噛合させて、雄部材１１０のベース１１１の表面１１１ｂと雌部材１２０の雌部材本体１２１の下面との間にシート類を挟持するものである。
【０００５】
そして、雄部材１１０と雌部材１２０との嵌合は、雌部材１２０を雄部材１１０に押し込むことによりラチエット歯１１３とラチエット爪１２３が自動的に噛合してワンタッチで行うことができるものである。しかしながら、これは雄部材１１０のベース１１１の表面１１１ｂと雌部材１２０の雌部材本体１２１の下面との間隔がラチエット歯１１３のピッチ分の間隔毎でしか調整できないものであり、挟持するシート類の厚さに的確の適合できない問題がある。
【０００６】
また、雄部材１１０と雌部材１２０との嵌合を解除するために、ラチエット歯１１３とラチエット爪１２３との噛合の解除にはレバー１２４を操作する必要があるが、このレバー１２４を操作しながら雌部材１２０を雄部材１１０から外す作業は面倒であるという問題がある。
【先行技術文献】
【特許文献】
【０００７】
【特許文献１】米国特許第8122572B2号明細書
【発明の概要】
【発明が解決しようとする課題】
【０００８】
本発明は前記のような問題を解決して、雄部材と雌部材との嵌合をワンタッチで行うことができるうえ、シート類を挟み込む雄部材と雌部材との間隔をシート類の厚さに応じて微調整できるとともに雄部材と雌部材との嵌合の解除も容易とする止め具を提供するものである。
【課題を解決するための手段】
【０００９】
本発明の止め具は、雄部材と雌部材とを嵌合自在として、該雄部材と雌部材との間にシート類を挟持する止め具であって、
前記雄部材はベース本体の中央に軸棒部を鉛直に突設して、該軸棒部に雄ネジ部を形成してなり、
前記雌部材は前記軸棒部を挿入する筒状本体の内面に内鍔部を張設して、該内鍔部の中央に前記軸棒部の雄ネジ部が螺合する雌ネジ部を形成して、また、該内鍔部は雌ネジ部を中心に筒状本体の内面に向け複数に分割した内鍔片より構成し、かつ該内鍔部を雌ネジ部が筒状本体の前記軸棒部が挿入する方向に位置するように傾斜させた円錐面状としたことを特徴とするものを基本の発明とする。
【００１０】
また、前記雄部材の軸棒部の先端を先尖り部に形成することが好ましいものである。また、前記雄部材に被取付部材への固定部を備えたものとし、前記雌部材は前記雄部材に対して回動自在としてもよい。この場合に雌部材の筒状本体の内面に張設した内鍔部を構成する各内鍔片の前記雄部材のベース本体に臨む面にストッパ突起を設けることが好ましいものである。
【００１１】
また、前記雌部材に被取付部材への固定部を備えたものとし、前記雄部材は前記雌部材に対して回動自在としてもよい。
【００１２】
さらに、前記雌部材の筒状本体の内面に張設した内鍔部を均等３分割とした内鍔片により構成することが好ましいものである。
【発明の効果】
【００１３】
前記した本発明の止め具は、嵌合自在とした雄部材と雌部材との間に遮光用シート、防水シート、荷物カバー等のシート類を挟み保持するのには、先ず、雄部材と雌部材とを分離する。
そして、雄部材の軸棒部の先端と雌部材の内鍔部の傾斜させた円錐面状の底面側とが互いに臨むように対向させて、次に、シート類その間に位置させる。
【００１４】
続いて、前記雄部材のベース本体の中央に鉛直に突設した軸棒部をシート類に刺通して、該軸棒部の先端に前記雌部材の内鍔部の雌ネジ部を合致させて、雌部材を雄部材に向けて押し込む。
【００１５】
この押し込みにより、前記軸棒部の周縁が複数に分割した内鍔片を押し広げながら相対的に該内鍔部の雌ネジ部を挿通して行き、雄ネジ部が内鍔部に形成した雌ネジ部の位置に達する。そうすると、雄ネジ部のネジ山部とネジ谷部が雌ネジ部のネジ谷部とネジ山部と噛み合う位置において前記複数に分割した内鍔片が旧状に復帰して内鍔部の雌ネジ部も正常状態となり、雌ネジ部と雄ネジ部とが的確に螺合した状態となり、該雄部材と雌部材とはシール類を挟持して嵌合することとなる。このように、雄部材と雌部材をそれぞれ相対的に押し込むというワンタッチ操作によりシート類を挟持できるものである。
【００１６】
このように嵌合した雄部材と雌部材は、前記したとおり、分割した内鍔片より構成された内鍔部は雌ネジ部が筒状本体の前記軸棒部が挿入する方向に位置するように傾斜させた円錐面状としものであるから、前記押し込み方向と逆の引き抜き方向に力を加えると、内鍔部は雌ネジ部を拡げるとは逆に狭めるものとなり、前記雌ネジ部２２と雄ネジ部１２との螺合状態が解除されることはないものである。
【００１７】
また、前記したように、雄部材と雌部材とは雄ネジ部と雌ねじ部が螺合してシート類を挟持するものであるから、雄ネジ部と雌ねじ部の一方を回動することにより、無段階で雄部材と雌部材とのシート類の挟持間隔を調整できるものである。
【００１８】
また、シート類を外す場合は、雄ネジ部と雌ねじ部の一方を緩み方向に回動するという操作だけで雄部材と雌部材とを分離できシート類を外すことができる。
【００１９】
また、前記雄部材の軸棒部の先端を先尖り部に形成すると、シート類への軸棒部の刺通作業が容易となる。
【００２０】
また、前記雄部材に被取付部材への固定部を備えたものとし、前記雌部材は前記雄部材に対して回動自在とすれば、雄部材を壁面、枠材等の被取付部に固定して前記壁面、枠材等にシート類を取り付けできるものである。この場合雄部材は壁面、枠材等に固定した状態であるが、雌部材は雄部材に対して回動自在であるので、該雌部材を回動させることにより雌ネジ部を雄ネジ部に対して締付けと緩めができ、緩め方向の回動を行うことにより雌部材を雄部材から外してシート類の取り外しができるものである。
【００２１】
また、雌部材の筒状本体の内面に張設した内鍔部を構成する各内鍔片のベース本体に臨む面にストッパ突起を設けることにより、雌ネジ部を締め付けすぎても、該ストッパ突起がベース本体の表面に当り内鍔片の雌ネジ部側がベース本体側に異常に引き寄せられることを規制して内鍔部の損傷、変形を防止できるものである。
【００２２】
また、前記雌部材に被取付部材への固定部を備えたものとし、前記雄部材を前記雌部材に対して回動自在とすれば、雌部材を壁面、枠材等に固定して前記壁面、枠材等にシート類を取り付けできるものである。
【００２３】
この場合において雌部材は壁面、枠材等に固定した状態であるが、雄部材は雌部材に対して回動自在であるので、該雄部材を回動させることにより雄ネジ部を雌ネジ部に対して締付けと緩めができ、緩め方向の回動を続けることにより雄部材を雌部材から外してシート類の取り外しができるものである。
【００２４】
さらに、前記雌部材の筒状本体の内面に張設した内鍔部を均等３分割した内鍔片により構成することにより、前記軸棒部による押し広げ容易であり、かつ、旧状に的確に復帰できるバネ性が確保でき好ましいものである。
【図面の簡単な説明】
【００２５】
【図１】本発明の第１の実施形態を示す断面図。
【図２】本発明の第１の実施形態を示す平面図。
【図３】本発明の第１の実施形態を雄部材と雌部材を分離して示す断面図。
【図４】本発明の第１の実施形態に使用する雄部材を示す平面図。
【図５】本発明の第１の実施形態に使用する雌部材を示す平面図。
【図６】本発明の第１の実施形態に使用する雌部材を示す底面図。
【図７】本発明の第１の実施形態に使用する雌部材を示す側面図。
【図８】本発明の第１の実施形態に使用する雌部材を他方向から示す側面図。
【図９】本発明の第１の実施形態に係る止め具の使用例を示す図であり、（イ）は取付工程の要部断面図、（ロ）は取付状態の要部断面図、（ハ）は概略側面図。
【図１０】本発明の第２の実施形態を雄部材と雌部材を分離して示す断面図。
【図１１】本発明の第２の実施形態に使用する雌部材を示す平面図。
【図１２】本発明の第２の実施形態に使用する雌部材を示す底面図。
【図１３】従来例を示す断面図。
【発明を実施するための形態】
【００２６】
次に、本発明に係る止め具の好ましい実施の形態を図面に基づき説明する。
【００２７】
〔第１の実施形態〕
先ず、図１〜図９に示す第１の実施形態について説明する。
【００２８】
図において、1は雄部材、２は雌部材である。
前記雄部材１はベース本体１０の一方の面である表面の中央に円柱状の軸棒部１１を鉛直に突設して、該軸棒部１１に雄ネジ部１２を形成している。また、前記軸棒部１１の先端を円錐形とした先尖り部１３に形成している。また、ベース本体１０の他方の面である裏面は壁面、窓枠、枠材等の被取付部材への固定部１４としており、該固定部１４に両面接着テープを貼り付け或いは接着剤を塗布することにより固定するものとするのが壁面、窓枠、枠材等の材質が何であるかに囚われず固定することができ好ましい。しかし、別途用意したホルダーを被取付部材に取り付けて、これにベース本体１０を嵌脱自在としても、さらには、ベース本体１０の裏面にスタッドボルトを設けたものであってもよい。
【００２９】
前記雌部材２は前記軸棒部１１を嵌合する筒状本体２０の内面に内鍔部２１を張設して、該内鍔部２１の中央に前記軸棒部１１の雄ネジ部１２が螺合する雌ネジ部２２を形成して、また、該内鍔部２１は雌ネジ部２２を中心に筒状本体２０の内面に向け複数に分割した内鍔片２１ａにより構成したものとしている。また、前記内鍔部２１は雌ネジ部２２が筒状本体２０の前記軸棒部１１が挿入する方向に位置するように傾斜させた円錐面状としたものである。この傾斜させた円錐面状とした内鍔部２１は軸棒部１１の先端を誘い込む機能もある。
【００３０】
また、前記雄部材１に被取付部材への固定部１４を備えたものとしているので、前記雌部材２は前記雄部材１に対して回動自在としている。そして、前記雌部材２の筒状本体２０の内面に張設した内鍔部２１の各内鍔片２１ａの前記雄部材１のベース本体１０に臨む面にストッパ突起２３を設けている。
【００３１】
なお、前記雌ネジ部２２はネジ山を３ピンチにより構成することが好ましい。すなわち、３ピンチ有れば雌ネジ部２２と雄ネジ部１２が軸方向に力が加わっても該雌ネジ部２２と雄ネジ部１２の螺合が解けることなく、また、雌部材２を雄部材１から外す場合も回動量が少なく済むので取り外し作業を容易となる。また、内鍔部２１は該雌ネジ部２２を形成した部分を周縁より段階的に肉厚として３ピンチのネジ山よりなる雌ネジ部２２を形成できるものとしている。
【００３２】
このように構成された、第１の実施形態の止め具を、雄部材と雌部材との間に遮光用シート、防水シート等のシート類を挟み保持させて窓枠に取り付けるために使用する場合について説明する。なお、止め具はシート類を窓枠に取り付けるために多数個が必要とするものである。
【００３３】
先ず、雄部材１と雌部材２とを分離する。そして、雄部材１をそのベース１０の裏面をもって形成した固定部１４に両面接着テープＣを貼り付けて図９に示す窓枠Ａに固定する。
【００３４】
次に、前記雄部材１のベース本体１０の中央に鉛直に突設した軸棒部１１にシート類としての図９に示す遮光用シートＢに刺通する。この場合に、軸棒部１１の先端を先尖り部１３に形成していれば、シート類への軸棒部１１の刺通作業が容易なものとなる。
【００３５】
続いて、雌部材２を該雌部材２の内鍔部２１を前記軸棒部１１の先端に臨ませて前記雌部材２を前記雄部材１に向けて押し込む。
【００３６】
そうすると、前記内鍔部２１は雌ネジ部２２を中心に筒状本体２０の内面に亘り複数に分割した内鍔片２１ａにより構成されたものであり、かつ内鍔部２１は雌ネジ部２２が筒状本体２０の前記軸棒部１１が嵌合する方向に位置するように傾斜させた円錐面状としものであるから、前記軸棒部１１の周縁が複数に分割した内鍔片２１ａを押し広げながら該内鍔部２１の雌ネジ部２２を挿通して行き、押し込みを停止すれば、前記軸棒部１１の雄ネジ部１２が内鍔部２１に形成した雌ねじ部２２に達した位置において、雄ネジ部１２のネジ山部とネジ谷部が雌ネジ部２２のネジ谷部とネジ山部と噛み合い、前記複数に分割した内鍔片２１ａが押し広げられた状態から旧状に復帰して内鍔部２１の雌ネジ部２２も正常状態となり、該雌部材２２と雄ネジ部１２と的確に螺合した状態となり、雄部材１に雌部材２を押し込むというワンタッチ操作により雄部材１と雌部材２は嵌合してシート類を挟持できるものである。
【００３７】
このように嵌合した雄部材１と雌部材２は、前記したとおり、内鍔部２１は雌ネジ部２２を中心に筒状本体２０の内面に亘り複数に分割した内鍔片２１ａにより構成されたものであり、かつ内鍔部２１は雌ネジ部２２が筒状本体２０の前記軸棒部１１が嵌合する方向に位置するように傾斜させた円錐面状としものであるから、前記押し込み方向と逆の引き抜き方向に力を加えると、内鍔部２１は雌ネジ部２２を拡げるとは逆に狭めるものであるので、前記雌ネジ部２２と雄ネジ部１２との螺合状態が解除されることはないものである。
【００３８】
前記したように、雄部材１と雌部材２とは雄ネジ部１２と雌ネジ部２２が螺合してシート類を挟持するものである。そして、前記雌部材２は前記雄部材１に対して回動自在としているので、該雌部材２を回動することにより、雄部材１と雌部材２とのシート類の挟持間隔を無段階で調整できるものである。
【００３９】
また、シート類を外す場合は、雌ねじ部２２を雄ネジ部１２から緩み方向に回動するという操作だけで雌部材２を雄部材１から分離できシート類を外すことができるものである。
【００４０】
また、前記雌部材２の筒状本体２０の内面に張設した内鍔部２１の各内鍔片２１ａの前記雄部材１のベース１０に臨む側にストッパ突起２３を設けていれば、雌ネジ部２２を締め付けすぎて、内鍔部２１の雌ネジ部２２側が軸棒部１１の基端側に引き付けられて内鍔部２１が損傷、変形することを防止できるものである。
【００４１】
なお、この実施形態の雌部材２の筒状本体２０は外面形状を砲弾形状としているので回動操作を容易とするため、筒状本体２０の外面に対向させて平面状部２４、２４を形成して容易に手指で摘むことができるものとし、さらには、筒状本体２０の上面にコイン係止用の切欠部２５を形成している。
【００４２】
〔第２の実施形態〕
図１０〜図１２に示す第２の実施形態について説明する。
【００４３】
図１０において、1は雄部材、２は雌部材である。
前記雄部材１は図１０に示すように上面側を頭部を形成したベース本体１０の下面の中央に円柱状の軸棒部１１を鉛直に突設して、該軸棒部１１に雄ネジ部１２を形成している。また、前記軸棒部１１の先端側を円錐形とした先尖り部１３に形成している。また、ベース本体１０に形成した頭部の上端にはコイン係合用のすり割り１５を、側面に対向して摘み用の凹部１６に形成している。
【００４４】
前記雌部材２は前記軸棒部１１を嵌合する筒状本体２０の先端側の内面に内鍔部２１を張設して、該内鍔部２１の中央に前記軸棒部１１の雄ネジ部１２が螺合する雌ネジ部２２を形成して、また、該内鍔部２１は雌ネジ部２２を中心に筒状本体２０の内面に向け複数に分割した内鍔片２１ａとしている。また、前記内鍔部２１は雌ネジ部２２側が前記軸棒部１１が挿入する方向に向けて円錐面状に傾斜させており、軸棒部１１の先端を誘い込む形状としている。
【００４５】
さらに、前記雌部材２は壁面、窓枠、枠材等の被取付部材への固定部２４を備えたものとしている。すなわち、雌部材２は筒状本体２０の基端の周縁に外鍔部を張設して該外鍔部を固定部２６としたものである。
【００４６】
このように構成された、第２の実施形態の止め具を、雄部材と雌部材との間に遮光用シート、防水シート等のシート類を挟み保持させて窓枠に取り付けるために使用する場合について説明する。
【００４７】
先ず、雄部材１と雌部材２とを分離する。そして、前記第１の実施形態とは逆に雌部材２を該雌部材２の筒状本体２０の基端の周縁に張設した外鍔部よりなる固定部２６に両面接着テープを貼り付けて窓枠に固定する。
【００４８】
次に、シート類に前記雄部材１の軸棒部１１を刺通する。この場合に、軸棒部１１の先端を先尖り部１３に形成していれば、シート類への軸棒部１１の刺通作業が容易となる。
【００４９】
続いて、雄部材１の軸棒部１１の先端を雌部材２の内鍔部２１の雌ネジ部２２に臨ませて該雄部材１を前記雌部材２に向けて押し込む。
【００５０】
そうすると、前記内鍔部２１は雌ネジ部２２を中心に筒状本体２０の内面に亘り複数に分割した内鍔片２１ａからなるものであり、かつ該内鍔部２１は前記軸棒部１１が嵌合する方向に先細側の雌ネジ部が位置するような円錐面状に傾斜させたものであるから、前記軸棒部１１の周縁が複数に分割した内鍔片２１ａを押し広げながら該内鍔部２１の雌ネジ部２２を挿通して行き、雄部材１と雌部材２がシート類を挟持した位置でその押し当てを停止すれば、前記軸棒部１１の雄ネジ部１２が内鍔部２１に形成した雌ねじ部２２に達した位置において、雄ネジ部１２のネジ山部とネジ谷部が雌ネジ部２２のネジ谷部とネジ山部と噛み合い、前記複数に分割した内鍔片２１ａが押し広げられた状態から旧状に復帰して内鍔部２１の雌ネジ部２２も正常状態となり、該雌部材２２と雄ネジ部１２と的確に螺合して雄部材１に雌部材２を押し当てるというワンタッチによりシート類を挟持できるものである。
【００５１】
このように嵌合した雄部材１と雌部材２は、前記した第１の実施形態と同様に、前記押し込み方向と逆の引き抜き方向に力を加えると、内鍔部２１は雌ネジ部２２を拡げるとは逆に狭める力が働くので、前記雌ネジ部２２と雄ネジ部１２との螺合状態が解除されることはないものである。
【００５２】
そして、前記雄部材１は前記雌部材２に対して回動自在としているので、該雄部材１を回動することにより、雄ネジ部１２と雌ねじ部２２との螺合位置が無段階であり、雄部材と雌部材とのシート類の挟持間隔を無段階で調整できるものである。
【００５３】
また、シート類を外す場合は、雄ネジ部１２を雌ねじ部２２から緩み方向に回動するという操作だけで雄部材１を雌部材２から分離できシート類を外すことができるものである。
【符号の説明】
【００５４】
１  雄部材
10  ベース本体
11  軸棒部
12  雄ネジ部
13  先尖り部
２  雌部材
20  筒状本体
21  内鍔部
21a  内鍔片
22  雌ネジ部
23  ストッパ突起
【図１】
2014152887.tif 000003
【図２】
2014152887.tif 000004
【図３】
2014152887.tif 000005
【図４】
2014152887.tif 000006
【図５】
2014152887.tif 000007
【図６】
2014152887.tif 000008
【図７】
2014152887.tif 000009
【図８】
2014152887.tif 000010
【図９】
2014152887.tif 000011
【図１０】
2014152887.tif 000012
【図１１】
2014152887.tif 000013
【図１２】
2014152887.tif 000014
【図１３】
2014152887.tif 000015